(57)【要約】【課題】予定外の貨幣の配送を行うことのないよう、貨幣を予め店舗等に置いておくようにすることができる貨幣収納装置、貨幣引渡方法および管理装置を提供する。【解決手段】貨幣引渡システムは、第１の所有者（警備会社９０）が所有する貨幣を収納する貨幣収納装置６０（具体的には、貨幣入出金機２０や貨幣収納庫３０、または棒金収納庫５０）と、引き渡した貨幣量を管理する管理装置９２とを備えている。貨幣収納装置６０は、通信部６５を介して取出貨幣量と同定情報とを管理装置９２に送信する制御部６６を有している。管理装置９２は、貨幣収納装置６０から送信された同定情報から第２の所有者のＩＤ情報を決定するとともに貨幣収納装置６０から送信された取出貨幣量を引渡貨幣量とし、この引渡貨幣量と第２の所有者のＩＤ情報とを関連付けて記憶部９３に記憶させる制御部９５を有している。【選択図】図７
2012068983.tif 000002
【特許請求の範囲】
【請求項１】
第１の所有者から第２の所有者に貨幣を引き渡す貨幣引渡システムであって、
前記貨幣引渡システムは、前記第１の所有者が所有する貨幣を収納する貨幣収納装置と、引き渡した貨幣量を管理する管理装置とを備え、
（ａ）前記貨幣収納装置は、
貨幣を収納する収納部と、
前記収納部から取り出された貨幣の量である取出貨幣量を計数する取出貨幣計数部と、
前記収納部からの貨幣の取り出しが許可された操作者に関する情報である許可情報と、前記第２の所有者を同定可能な同定情報とを記憶する記憶部と、
操作者に関する情報を入力するための操作部と、
外部の装置と通信を行う通信部と、
前記通信部を介して前記取出貨幣量と前記同定情報とを前記管理装置に送信する制御部と、
を有し、
（ｂ）前記管理装置は、
前記第１の所有者から前記第２の所有者に引き渡した貨幣の量である引渡貨幣量と前記第２の所有者のＩＤ情報とを関連付けて記憶する記憶部と、
外部の装置と通信を行う通信部と、
前記貨幣収納装置から送信された前記同定情報から前記第２の所有者のＩＤ情報を決定するとともに前記貨幣収納装置から送信された前記取出貨幣量を前記引渡貨幣量とし、当該引渡貨幣量と前記第２の所有者のＩＤ情報とを関連付けて前記記憶部に記憶させる制御部と、
を有する、
ことを特徴とする貨幣引渡システムに用いる貨幣収納装置。
【請求項２】
第１の所有者から第２の所有者に貨幣を引き渡す貨幣引渡システムであって、
前記貨幣引渡システムは、前記第１の所有者が所有する貨幣を収納する貨幣収納装置と、引き渡した貨幣量を管理する管理装置とを備え、
（ａ）前記貨幣収納装置は、
貨幣を収納する収納部と、
前記収納部から取り出された貨幣の量である取出貨幣量を計数する取出貨幣計数部と、
前記収納部からの貨幣の取り出しが許可された操作者に関する情報である許可情報を記憶する記憶部と、
操作者に関する情報を入力するための操作部と、
外部の装置と通信を行う通信部と、
前記通信部を介して前記取出貨幣量と前記許可情報とを前記管理装置に送信する制御部と、
を有し、
（ｂ）前記管理装置は、
前記操作者に関する情報と前記第２の所有者のＩＤ情報とを関連付けて記憶し、また、前記第１の所有者から前記第２の所有者に引き渡した貨幣の量である引渡貨幣量と前記第２の所有者のＩＤ情報とを関連付けて記憶する記憶部と、
外部の装置と通信を行う通信部と、
前記貨幣収納装置から送信された前記許可情報から前記第２の所有者のＩＤ情報を決定するとともに前記貨幣収納装置から送信された前記取出貨幣量を前記引渡貨幣量とし、前記引渡貨幣量と前記第２の所有者のＩＤ情報と関連付けて前記記憶部に記憶させる制御部と、
を有する、
ことを特徴とする貨幣引渡システムに用いる貨幣収納装置。
【請求項３】
請求項１または２のいずれか一項に記載の貨幣引渡システムは、前記第２の所有者が所有する貨幣を収納する貨幣処理装置を更に備え、
（ｃ）前記貨幣処理装置は、
外部から貨幣を受け入れる受入部と、
前記受入部が受け入れた貨幣を識別する識別部と、
貨幣を収納する少なくとも１つの収納部と、
外部の装置と通信を行う通信部と、
前記識別部の識別結果に基づいて前記収納部に貨幣を収納し、収納された貨幣の量を計数する制御部と、
を有し、
前記貨幣収納装置から減少した貨幣量と、前記貨幣処理装置で増加した貨幣量とが一致した場合においてのみ、前記第２の所有者へ引き渡した貨幣量が確定されるようになっていることを特徴とする貨幣収納装置。
【請求項４】
請求項１乃至３のいずれか一項に記載の貨幣引渡システムにおいて、前記貨幣収納装置は、外部の装置から許可情報を受信し、この受信した許可情報が前記記憶部に記憶されるようになっていることを特徴とする貨幣収納装置。
【請求項５】
請求項４記載の貨幣引渡システムにおいて、前記許可情報には、取り出しが可能な貨幣量の情報が含まれていることを特徴とする貨幣収納装置。
【請求項６】
請求項４記載の貨幣引渡システムにおいて、前記許可情報には、取り出しが可能な期間の情報が含まれていることを特徴とする貨幣収納装置。
【請求項７】
請求項１記載の貨幣収納装置を用いた貨幣引渡方法であって、
前記貨幣収納装置の前記取出貨幣計数部が、前記貨幣収納装置の前記収納部から取り出された貨幣の量である取出貨幣量を計数する工程と、
前記貨幣収納装置の前記制御部が、前記貨幣収納装置の前記通信部を介して、前記取出貨幣量と前記記憶部に記憶された同定情報とを前記管理装置に送信する工程と、
前記管理装置の前記制御部が、前記貨幣収納装置から送信された前記同定情報から前記第２の所有者のＩＤ情報を決定するとともに前記貨幣収納装置から送信された前記取出貨幣量を前記引渡貨幣量とし、前記引渡貨幣量と前記第２の所有者のＩＤ情報とを関連付けて前記管理装置の前記記憶部に記憶させる工程と、
を備えたことを特徴とする貨幣引渡方法。
【請求項８】
請求項２記載の貨幣収納装置を用いた貨幣引渡方法であって、
前記貨幣収納装置の前記取出貨幣計数部が、前記貨幣収納装置の前記収納部から取り出された貨幣の量である取出貨幣量を計数する工程と、
前記貨幣収納装置の前記制御部が、前記貨幣収納装置の前記通信部を介して、前記取出貨幣量と前記記憶部に記憶された許可情報とを前記管理装置に送信する工程と、
前記管理装置の前記制御部が、前記貨幣収納装置から送信された前記許可情報から前記第２の所有者のＩＤ情報を決定するとともに前記貨幣収納装置から送信された前記取出貨幣量を前記引渡貨幣量とし、前記引渡貨幣量と前記第２の所有者のＩＤ情報とを関連付けて前記管理装置の前記記憶部に記憶させる工程と、
を備えたことを特徴とする貨幣引渡方法。
【請求項９】
第１の所有者から第２の所有者に引き渡した貨幣量を管理する管理装置であって、
前記第１の所有者から前記第２の所有者に引き渡した貨幣の量である引渡貨幣量と前記第２の所有者のＩＤ情報とを関連付けて記憶する記憶部と、
外部の装置と通信を行う通信部と、
第１の所有者が所有する貨幣を収納する貨幣収納装置から送信された、前記第２の所有者を同定可能な同定情報から前記第２の所有者のＩＤ情報を決定するとともに、前記貨幣収納装置から送信された、当該貨幣収納装置の収納部から取り出された貨幣の量である取出貨幣量を前記引渡貨幣量とし、前記引渡貨幣量と前記第２の所有者のＩＤ情報とを関連付けて前記記憶部に記憶させる制御部と、
を備えたことを特徴とする管理装置。
【請求項１０】
第１の所有者から第２の所有者に引き渡した貨幣量を管理する管理装置であって、
操作者に関する情報と前記第２の所有者のＩＤ情報とを関連付けて記憶し、また、前記第１の所有者から前記第２の所有者に引き渡した貨幣の量である引渡貨幣量と前記第２の所有者のＩＤ情報とを関連付けて記憶する記憶部と、
外部の装置と通信を行う通信部と、
第１の所有者が所有する貨幣を収納する貨幣収納装置から送信された、当該貨幣収納装置の収納部からの貨幣の取り出しが許可された操作者に関する情報である許可情報から前記第２の所有者のＩＤ情報を決定するとともに、前記貨幣収納装置から送信された、当該貨幣収納装置の前記収納部から取り出された貨幣の量である取出貨幣量を前記引渡貨幣量とし、前記引渡貨幣量と前記第２の所有者のＩＤ情報とを関連付けて前記記憶部に記憶させる制御部と、
を備えたことを特徴とする管理装置。
【請求項１１】
第１の所有者が所有する貨幣を収納する貨幣収納装置であって、
貨幣を収納する収納部と、
前記収納部から取り出された貨幣の量である取出貨幣量を計数する取出貨幣計数部と、
前記収納部からの貨幣の取り出しが許可された操作者に関する情報である許可情報と、前記第２の所有者を同定可能な同定情報とを記憶する記憶部と、
操作者に関する情報を入力するための操作部と、
外部の装置と通信を行う通信部と、
前記通信部を介して、前記取出貨幣量と前記同定情報とを、前記第１の所有者から第２の所有者に引き渡した貨幣量を管理する管理装置に送信する制御部と、
を備えたことを特徴とする貨幣収納装置。
【請求項１２】
第１の所有者が所有する貨幣を収納する貨幣収納装置であって、
貨幣を収納する収納部と、
前記収納部から取り出された貨幣の量である取出貨幣量を計数する取出貨幣計数部と、
前記収納部からの貨幣の取り出しが許可された操作者に関する情報である許可情報を記憶する記憶部と、
操作者情報を入力するための操作部と、
外部の装置と通信を行う通信部と、
前記通信部を介して、前記取出貨幣量と前記許可情報とを、前記第１の所有者から第２の所有者に引き渡した貨幣量を管理する管理装置に送信する制御部と、
を備えたことを特徴とする貨幣収納装置。
【発明の詳細な説明】
【技術分野】
【０００１】
本発明は、貨幣収納装置、貨幣引渡方法および管理装置に関する。
【背景技術】
【０００２】
従来から、スーパーマーケットやコンビニエンスストア等の店舗において、特許文献１に示すような貨幣入出金機が用いられている。特許文献１に開示される貨幣入出金機は、店舗側が管理する、貨幣を収納し入金や出金が可能なリサイクル収納部と、警備会社等の回収業者側が管理する、貨幣を収納するカセット収納部とを備えている。そして、特許文献１に示すような貨幣入出金機では、店舗に設けられた貨幣釣銭機等から取り出された貨幣を、店舗側に管理権限のあるリサイクル収納部に収納し、また、釣銭用の貨幣をリサイクル収納部から出金するようになっている。また、店舗側から回収業者側に貨幣を引き渡すときには、リサイクル収納部からカセット収納部に貨幣を移動させ、このカセット収納部に移された貨幣を回収業者が回収するようになっている。一方、貨幣釣銭機に収納されるべき釣銭準備金は、回収業者が店舗に持参し、店舗側にこの釣銭準備金が渡されるようになっているが、このような動作は人間による管理となっており、釣銭準備金の一部が貨幣入出金機に補充されて管理されるようになっている。
【０００３】
ここで、店舗における釣銭の使用量は日ごとに異なり、釣銭準備金が不足する場合がある。このときに、店舗は回収業者に釣銭の補充を依頼し、釣銭用の貨幣を店舗まで配送してもらう必要がある。このような、回収業者による釣銭用の貨幣の配送は費用が高く、店舗側の負担が大きいという問題がある。また、回収業者としても、予定外の貨幣の配送を行うため、スケジュール変更等の負担が大きい。
【０００４】
また、店舗にＡＴＭが配置されており、このＡＴＭの運用を警備会社等の回収業者が請け負っている場合にも、ＡＴＭに収納されている貨幣が不足すると、回収業者が予定外の貨幣の配送を行う必要があり、回収業者にとって大きな負担となる。
【０００５】
また、特許文献２に示すように、監視センタから遠隔でＡＴＭや店舗に設置された機器等における貨幣の収納状態の監視を行う場合もある。このような方法を用いた場合には、ＡＴＭ等における貨幣の過不足状態を監視することが可能であり、状況に応じて配送する貨幣の量を調節することができる。しかしながら、この場合でも、実際に貨幣が不足したときには、回収業者は予定外の貨幣の配送を行わなければならない。
【先行技術文献】
【特許文献】
【０００６】
【特許文献１】特開２００２−３１２８３３号公報
【特許文献２】特許第３８１０９８８号公報
【発明の概要】
【発明が解決しようとする課題】
【０００７】
本発明は、このような点を考慮してなされたものであり、予定外の貨幣の配送を行うことのないよう、貨幣を予め店舗等に置いておくようにすることができる貨幣収納装置、貨幣引渡方法および管理装置を提供することを目的とする。
【課題を解決するための手段】
【０００８】
本発明の貨幣収納装置が用いられる貨幣引渡システムは、第１の所有者から第２の所有者に貨幣を引き渡す貨幣引渡システムであって、前記貨幣引渡システムは、前記第１の所有者が所有する貨幣を収納する貨幣収納装置と、引き渡した貨幣量を管理する管理装置とを備え、（ａ）前記貨幣収納装置は、貨幣を収納する収納部と、前記収納部から取り出された貨幣の量である取出貨幣量を計数する取出貨幣計数部と、前記収納部からの貨幣の取り出しが許可された操作者に関する情報である許可情報と、前記第２の所有者を同定可能な同定情報とを記憶する記憶部と、操作者に関する情報を入力するための操作部と、外部の装置と通信を行う通信部と、前記通信部を介して前記取出貨幣量と前記同定情報とを前記管理装置に送信する制御部と、を有し、（ｂ）前記管理装置は、前記第１の所有者から前記第２の所有者に引き渡した貨幣の量である引渡貨幣量と前記第２の所有者のＩＤ情報とを関連付けて記憶する記憶部と、外部の装置と通信を行う通信部と、前記貨幣収納装置から送信された前記同定情報から前記第２の所有者のＩＤ情報を決定するとともに前記貨幣収納装置から送信された前記取出貨幣量を前記引渡貨幣量とし、当該引渡貨幣量と前記第２の所有者のＩＤ情報とを関連付けて前記記憶部に記憶させる制御部と、を有する、ことを特徴とする。
【０００９】
本発明の他の貨幣収納装置が用いられる貨幣引渡システムは、第１の所有者から第２の所有者に貨幣を引き渡す貨幣引渡システムであって、前記貨幣引渡システムは、前記第１の所有者が所有する貨幣を収納する貨幣収納装置と、引き渡した貨幣量を管理する管理装置とを備え、（ａ）前記貨幣収納装置は、貨幣を収納する収納部と、前記収納部から取り出された貨幣の量である取出貨幣量を計数する取出貨幣計数部と、前記収納部からの貨幣の取り出しが許可された操作者に関する情報である許可情報を記憶する記憶部と、操作者に関する情報を入力するための操作部と、外部の装置と通信を行う通信部と、前記通信部を介して前記取出貨幣量と前記許可情報とを前記管理装置に送信する制御部と、を有し、（ｂ）前記管理装置は、前記操作者に関する情報と前記第２の所有者のＩＤ情報とを関連付けて記憶し、また、前記第１の所有者から前記第２の所有者に引き渡した貨幣の量である引渡貨幣量と前記第２の所有者のＩＤ情報とを関連付けて記憶する記憶部と、外部の装置と通信を行う通信部と、前記貨幣収納装置から送信された前記許可情報から前記第２の所有者のＩＤ情報を決定するとともに前記貨幣収納装置から送信された前記取出貨幣量を前記引渡貨幣量とし、前記引渡貨幣量と前記第２の所有者のＩＤ情報と関連付けて前記記憶部に記憶させる制御部と、を有する、ことを特徴とする。
【００１０】
上述のような貨幣引渡システムは、前記第２の所有者が所有する貨幣を収納する貨幣処理装置を更に備え、（ｃ）前記貨幣処理装置は、外部から貨幣を受け入れる受入部と、前記受入部が受け入れた貨幣を識別する識別部と、貨幣を収納する少なくとも１つの収納部と、外部の装置と通信を行う通信部と、前記識別部の識別結果に基づいて前記収納部に貨幣を収納し、収納された貨幣の量を計数する制御部と、を有し、前記貨幣収納装置から減少した貨幣量と、前記貨幣処理装置で増加した貨幣量とが一致した場合においてのみ、前記第２の所有者へ引き渡した貨幣量が確定されるようになっていてもよい。
【００１１】
上述のような貨幣引渡システムにおいては、前記貨幣収納装置は、外部の装置から許可情報を受信し、この許可情報は前記記憶部に記憶されるようになっていてもよい。
【００１２】
この際に、前記許可情報には、取り出しが可能な貨幣量の情報が含まれていてもよい。
【００１３】
また、前記許可情報には、取り出しが可能な期間の情報が含まれていてもよい。
【００１４】
本発明は、上述のような貨幣収納装置を用いた貨幣引渡方法であって、前記貨幣収納装置の前記取出貨幣計数部が、前記貨幣収納装置の前記収納部から取り出された貨幣の量である取出貨幣量を計数する工程と、前記貨幣収納装置の前記制御部が、前記貨幣収納装置の前記通信部を介して、前記取出貨幣量と前記記憶部に記憶された同定情報とを前記管理装置に送信する工程と、前記管理装置の前記制御部が、前記貨幣収納装置から送信された前記同定情報から前記第２の所有者のＩＤ情報を決定するとともに前記貨幣収納装置から送信された前記取出貨幣量を前記引渡貨幣量とし、前記引渡貨幣量と前記第２の所有者のＩＤ情報とを関連付けて前記管理装置の前記記憶部に記憶させる工程と、を備えたことを特徴とする。
【００１５】
また、本発明は、上述のような貨幣収納装置を用いた貨幣引渡方法であって、前記貨幣収納装置の前記取出貨幣計数部が、前記貨幣収納装置の前記収納部から取り出された貨幣の量である取出貨幣量を計数する工程と、前記貨幣収納装置の前記制御部が、前記貨幣収納装置の前記通信部を介して、前記取出貨幣量と前記記憶部に記憶された許可情報とを前記管理装置に送信する工程と、前記管理装置の前記制御部が、前記貨幣収納装置から送信された前記許可情報から前記第２の所有者のＩＤ情報を決定するとともに前記貨幣収納装置から送信された前記取出貨幣量を前記引渡貨幣量とし、前記引渡貨幣量と前記第２の所有者のＩＤ情報とを関連付けて前記管理装置の前記記憶部に記憶させる工程と、を備えたことを特徴とする。
【００１６】
本発明の管理装置は、第１の所有者から第２の所有者に引き渡した貨幣量を管理する管理装置であって、前記第１の所有者から前記第２の所有者に引き渡した貨幣の量である引渡貨幣量と前記第２の所有者のＩＤ情報とを関連付けて記憶する記憶部と、外部の装置と通信を行う通信部と、第１の所有者が所有する貨幣を収納する貨幣収納装置から送信された、前記第２の所有者を同定可能な同定情報から前記第２の所有者のＩＤ情報を決定するとともに、前記貨幣収納装置から送信された、当該貨幣収納装置の収納部から取り出された貨幣の量である取出貨幣量を前記引渡貨幣量とし、前記引渡貨幣量と前記第２の所有者のＩＤ情報とを関連付けて前記記憶部に記憶させる制御部と、を備えたことを特徴とする。
【００１７】
本発明の他の管理装置は、第１の所有者から第２の所有者に引き渡した貨幣量を管理する管理装置であって、操作者に関する情報と前記第２の所有者のＩＤ情報とを関連付けて記憶し、また、前記第１の所有者から前記第２の所有者に引き渡した貨幣の量である引渡貨幣量と前記第２の所有者のＩＤ情報とを関連付けて記憶する記憶部と、外部の装置と通信を行う通信部と、第１の所有者が所有する貨幣を収納する貨幣収納装置から送信された、当該貨幣収納装置の収納部からの貨幣の取り出しが許可された操作者に関する情報である許可情報から前記第２の所有者のＩＤ情報を決定するとともに、前記貨幣収納装置から送信された、当該貨幣収納装置の前記収納部から取り出された貨幣の量である取出貨幣量を前記引渡貨幣量とし、前記引渡貨幣量と前記第２の所有者のＩＤ情報とを関連付けて前記記憶部に記憶させる制御部と、を備えたことを特徴とする。
【００１８】
本発明の貨幣収納装置は、第１の所有者が所有する貨幣を収納する貨幣収納装置であって、貨幣を収納する収納部と、前記収納部から取り出された貨幣の量である取出貨幣量を計数する取出貨幣計数部と、前記収納部からの貨幣の取り出しが許可された操作者に関する情報である許可情報と、前記第２の所有者を同定可能な同定情報とを記憶する記憶部と、操作者に関する情報を入力するための操作部と、外部の装置と通信を行う通信部と、前記通信部を介して、前記取出貨幣量と前記同定情報とを、前記第１の所有者から第２の所有者に引き渡した貨幣量を管理する管理装置に送信する制御部と、を備えたことを特徴とする。
【００１９】
本発明の他の貨幣収納装置は、第１の所有者が所有する貨幣を収納する貨幣収納装置であって、貨幣を収納する収納部と、前記収納部から取り出された貨幣の量である取出貨幣量を計数する取出貨幣計数部と、前記収納部からの貨幣の取り出しが許可された操作者に関する情報である許可情報を記憶する記憶部と、操作者情報を入力するための操作部と、外部の装置と通信を行う通信部と、前記通信部を介して、前記取出貨幣量と前記許可情報とを、前記第１の所有者から第２の所有者に引き渡した貨幣量を管理する管理装置に送信する制御部と、を備えたことを特徴とする。
【発明の効果】
【００２０】
本発明の貨幣収納装置、貨幣引渡方法および管理装置は、予定外の貨幣の配送を行うことのないよう、貨幣を予め店舗等に置いておくようにすることができる。
【図面の簡単な説明】
【００２１】
【図１】独立設置されたＡＴＭへの貨幣の補充方法に関する従来例を示す図である。
【図２】独立設置されたＡＴＭへの貨幣の補充方法に関する第１の実施例を示す図である。
【図３】独立設置されたＡＴＭへの貨幣の補充方法に関する第２の実施例を示す図である。
【図４】店舗のレジ釣銭機への貨幣の補充方法に関する従来例を示す図である。
【図５】店舗のレジ釣銭機への貨幣の補充方法に関する第３の実施例を示す図である。
【図６】店舗内に設置されたＡＴＭへの貨幣の補充方法に関する第４の実施例を示す図である。
【図７】本発明における、貨幣入出金機や貨幣収納庫、または棒金収納庫等の貨幣収納装置の構成を示す説明図である。
【図８】本発明における、警備会社に設けられる管理装置の構成を示す説明図である。
【図９】本発明における、ＡＴＭやレジ釣銭機等の貨幣処理装置の構成を示す説明図である。
【発明を実施するための形態】
【００２２】
＜第１の実施の形態＞
図１乃至図３を用いて、本発明の第１の実施の形態について説明する。ここで、図１は、独立設置されたＡＴＭへの貨幣の補充方法に関する従来例を示す図であり、図２は、独立設置されたＡＴＭへの貨幣の補充方法に関する第１の実施例を示す図であり、図３は、独立設置されたＡＴＭへの貨幣の補充方法に関する第２の実施例を示す図である。
【００２３】
まず、図１を用いて、独立設置されたＡＴＭへの貨幣の補充方法に関する従来例について説明する。図１に示すように、ＡＴＭブース１０には１または複数のＡＴＭ１２が設けられており（図１では１つのみのＡＴＭ１２について表示）、また、このＡＴＭブース１０から離間した場所には警備会社９０が設けられている。警備会社９０には管理装置９２が設けられており、この管理装置９２はＡＴＭブース１０に設けられたＡＴＭ１２と通信接続されている。ここで、ＡＴＭ１２に収納された貨幣は、警備会社９０側には管理権限がなく、ＡＴＭの運営者に管理権限があるようになっている。
【００２４】
従来例においては、あるＡＴＭ１２に収納されている貨幣が不足すると、この情報が当該ＡＴＭ１２から管理装置９２に送信され、管理装置９２において特定のＡＴＭ１２における貨幣不足が認識される。この場合、警備会社９０からＡＴＭブース１０に現金輸送車により貨幣が配送され、現金輸送車がＡＴＭブース１０に到着すると、警備員は現金輸送者から現金ケースを取り出し、この現金ケースを持った警備員がＡＴＭ１２に到着すると現金ケースから貨幣を取り出してＡＴＭ１２に補充する。
【００２５】
しかしながら、図１に示すような従来例による方法では、現金輸送車により貨幣を配送するため、このようなＡＴＭ１２に補充するための貨幣の配送の費用が高くなってしまい、ＡＴＭの運営者の負担が大きいという問題がある。また、警備会社９０としても、予定外の貨幣の配送を行うため、スケジュール変更等の負担が大きいという問題がある。
【００２６】
次に、図２を用いて、独立設置されたＡＴＭへの貨幣の補充方法に関する第１の実施例について説明する。図２に示すように、第１の実施例では、図１に示すような従来例と比較して、ＡＴＭブース１０には１または複数のＡＴＭ１２が設けられているとともに（図２では１つのみのＡＴＭ１２について表示）、貨幣入出金機２０が設けられている。貨幣入出金機２０は、紙幣の入金口および出金口、ならびに硬貨の入金口および出金口をそれぞれ備えており、入金口から機体の内部に入金された紙幣や硬貨は、機体の内部に設けられた識別装置で識別された後、複数の収納部に金種別に収納されるようになっている。また、各収納部に収納された紙幣や硬貨は、出金口より機体の外部に出金することができるようになっている（例えば、特開２００１−０９３０１９号公報）。また、警備会社９０に設けられた管理装置９２には、ＡＴＭブース１０に設けられたＡＴＭ１２および貨幣入出金機２０がそれぞれ通信接続されている。ここで、貨幣入出金機２０に収納された貨幣は、警備会社９０側に管理権限があるようになっており、ＡＴＭの運営者は貨幣入出金機２０に収納された貨幣を当該貨幣入出金機２０から出金することができないようになっている。なお、貨幣入出金機２０には、警備会社９０の警備員が定期的に巡回を行うことにより貨幣を補充するようになっている。
【００２７】
第１の実施例においては、あるＡＴＭ１２に収納されている貨幣が不足すると、この情報が当該ＡＴＭ１２から管理装置９２に送信され、管理装置９２において特定のＡＴＭ１２における貨幣不足が認識される。この場合、図２に示すように警備会社９０からＡＴＭブース１０に警備員が派遣され、警備員がＡＴＭブース１０に到着すると、この警備員は自己が所有するＩＤカードのＩＤ情報を貨幣入出金機２０のカードリーダに読み取らせることにより、この貨幣入出金機２０からの貨幣の出金が可能となる。そして、警備員は、貨幣入出金機２０から出金された貨幣をＡＴＭ１２に補充する。
【００２８】
このようにして、警備会社９０（第１の所有者）側からＡＴＭの運営者（第２の所有者）側へ貨幣が引き渡され、この貨幣の管理権限が警備会社９０側からＡＴＭの運営者側へ移されるようになる。また、警備会社９０側からＡＴＭの運営者側へ引き渡された貨幣量は管理装置９２により管理されるようになっている。
【００２９】
図２に示すような第１の実施例では、現金輸送車により貨幣を警備会社９０からＡＴＭブース１０に配送する必要がなく、警備会社９０側に管理権限がある貨幣が貨幣入出金機２０に収納されているため警備員をＡＴＭブース１０に派遣するだけでＡＴＭ１２への貨幣の補充を行うことができるようになる。
【００３０】
次に、図３を用いて、独立設置されたＡＴＭへの貨幣の補充方法に関する第２の実施例について説明する。図３に示すように、ＡＴＭブース１０には１または複数のＡＴＭ１２が設けられているとともに（図３では１つのみのＡＴＭ１２について表示）、貨幣収納庫３０が設けられている。貨幣収納庫３０は、１００枚毎に束ねられた紙幣や５０枚毎に包装された硬貨である棒金硬貨の収納を行う複数の収納ドロアを備えており、これらの収納ドロアが機体から引き出し可能となっている。また、これらの収納ドロアには開閉電磁ロックがそれぞれ設けられており、この開閉電磁ロックにより、収納ドロアが機体内にロック可能となっている。収納ドロア内は複数の区画に区切られ、区画毎に収納する紙幣束や棒金硬貨の金種が決められている。各区画は、ロードセルなど重量の検出器を備えており、取り出された貨幣の数は、各区画の重量の変化から計数される（特開２００９−２９４７１１号公報を参照）。また、警備会社９０に設けられた管理装置９２には、ＡＴＭブース１０に設けられたＡＴＭ１２および貨幣収納庫３０がそれぞれ通信接続されている。ここで、貨幣収納庫３０に収納された貨幣は、警備会社９０側に管理権限があるようになっており、ＡＴＭの運営者は貨幣収納庫３０に収納された貨幣を当該貨幣収納庫３０から取り出すことができないようになっている。なお、貨幣収納庫３０には、警備会社９０の警備員が定期的に巡回を行うことにより貨幣を補充するようになっている。
【００３１】
第２の実施例においては、あるＡＴＭ１２に収納されている貨幣が不足すると、この情報が当該ＡＴＭ１２から管理装置９２に送信され、管理装置９２において特定のＡＴＭ１２における貨幣不足が認識される。この場合、第１の実施例と同様に、図３に示すように警備会社９０からＡＴＭブース１０に警備員が派遣され、警備員がＡＴＭブース１０に到着すると、この警備員は自己が所有するＩＤカードのＩＤ情報を貨幣収納庫３０のカードリーダに読み取らせることにより、この貨幣収納庫３０において開閉電磁ロックによる各収納ドロアのロック状態を解除し、各収納ドロアを機体から手前側に引き出すことができるようにすることによって、貨幣収納庫３０からの貨幣の取り出しが可能となる。そして、警備員は、貨幣収納庫３０から取り出された貨幣をＡＴＭ１２に補充する。
【００３２】
このようにして、警備会社９０（第１の所有者）側からＡＴＭの運営者（第２の所有者）側へ貨幣が引き渡され、この貨幣の管理権限が警備会社９０側からＡＴＭの運営者側へ移されるようになる。また、警備会社９０側からＡＴＭの運営者側へ引き渡された貨幣量は管理装置９２により管理されるようになっている。
【００３３】
なお、第１の実施の形態における第１の実施例や第２の実施例は、独立設置されたＡＴＭへの貨幣の補充方法だけではなく、スーパーマーケット等の店舗に設置されたＡＴＭへの貨幣の補充方法にも適用することができる。
【００３４】
＜第２の実施の形態＞
図４および図５を用いて、本発明の第２の実施の形態について説明する。ここで、図４は、店舗のレジ釣銭機への貨幣の補充方法に関する従来例を示す図であり、図５は、店舗のレジ釣銭機への貨幣の補充方法に関する第３の実施例を示す図である。
【００３５】
まず、図４を用いて、店舗のレジ釣銭機への貨幣の補充方法に関する従来例について説明する。図４に示すように、店舗４０における顧客が立ち入ることができる領域であるフロント領域４１には複数のレジ釣銭機４３が設けられている。各レジ釣銭機４３にはＰＯＳターミナル４４が通信接続されている。また、店舗４０における顧客が立ち入ることができない領域であるバックヤード領域４２には店舗サーバー４５および売上金入出金機４６が配置されている。売上金入出金機４６は、当該売上金入出金機４６を前方から見て上部右側に配置された紙幣処理装置と、売上金入出金機４６を前方から見て上部左側に配置された硬貨処理装置と、紙幣処理装置および硬貨処理装置の下方に設けられ紙幣や硬貨の収納を行う貨幣収納部とを備えている（例えば、特許文献１）。紙幣処理装置は、機体の外部から投入された紙幣を一時的に収納するとともに、一時的に収納された紙幣を機体の外部に返却したり貨幣収納部に収納したりするようになっている。硬貨処理装置は、機体の外部から投入された硬貨を一時的に収納するとともに、一時的に収納された硬貨を機体の外部に返却したり貨幣収納部に収納したりするようになっている。貨幣収納部には紙幣および硬貨の収納をそれぞれ行う複数の収納カセットが設けられており、これらの収納カセットは機体の内部から取り出し可能となっている。
【００３６】
図４に示すように、各ＰＯＳターミナル４４は店舗サーバー４５にそれぞれ接続されている。また、売上金入出金機４６も店舗サーバー４５に接続されている。また、この店舗４０から離間した場所には警備会社９０が設けられている。警備会社９０には管理装置９２が設けられており、この管理装置９２は店舗４０に設けられた店舗サーバー４５および売上金入出金機４６とそれぞれ通信接続されている。ここで、各レジ釣銭機４３に収納された貨幣は、警備会社９０側には管理権限がなく、店舗４０側に管理権限があるようになっている。また、売上金入出金機４６の紙幣処理装置および硬貨処理装置に収納された貨幣は、店舗４０側に管理権限があり、売上金入出金機４６の貨幣収納部に収納された貨幣は、警備会社９０側に管理権限がある。
【００３７】
従来例においては、各レジ釣銭機４３に収納されている釣銭としての貨幣（とりわけ、釣銭としての硬貨）が不足すると、店舗４０側の店員等が売上金入出金機４６から貨幣を出金し（具体的には、例えば売上金入出金機４６の硬貨処理装置から硬貨を出金し）、出金された貨幣を各レジ釣銭機４３に補充するようになっている。また、店舗４０における営業時間が終了すると、各レジ釣銭機４３に収納されている売上金としての貨幣を店舗４０側の店員等が売上金入出金機４６に入金するようになっている。また、売上金入出金機４６に収納されている貨幣が不足すると（具体的には、売上金入出金機４６の硬貨処理装置に収納されている硬貨が不足すると）、この情報が当該売上金入出金機４６から管理装置９２に送信され、管理装置９２において売上金入出金機４６における貨幣不足が認識される。この場合、警備会社９０から店舗４０に現金輸送車により貨幣が配送され、現金輸送車が店舗４０に到着すると、警備員は現金輸送者から現金ケースを取り出し、この現金ケースを持った警備員が売上金入出金機４６に到着すると現金ケースから貨幣を取り出して売上金入出金機４６に補充する。
【００３８】
しかしながら、図４に示すような従来例による方法では、現金輸送車により貨幣を配送するため、店舗４０に設けられた売上金入出金機４６に補充するための貨幣の配送の費用が高くなってしまい、店舗４０側の負担が大きいという問題がある。また、警備会社９０としても、予定外の貨幣の配送を行うため、スケジュール変更等の負担が大きいという問題がある。
【００３９】
次に、図５を用いて、店舗のレジ釣銭機への貨幣の補充方法に関する第３の実施例について説明する。図５に示すように、第３の実施例では、図４に示すような従来例と比較して、店舗４０のバックヤード領域４２には店舗サーバー４５および売上金入出金機４６が設けられているとともに、棒金硬貨の収納を行う棒金収納庫５０が設けられている。棒金収納庫５０は、棒金硬貨の収納を行う複数の収納ドロアを備えており、これらの収納ドロアが機体から引き出し可能となっている。また、これらの収納ドロアには開閉電磁ロックがそれぞれ設けられており、この開閉電磁ロックにより、収納ドロアが機体内でロック可能となっている。収納ドロア内は複数の区画に区切られ、区画毎に棒金硬貨を１本ずつ収納するようになっている。棒金収納庫５０は、例えば、各区画の棒金硬貨の有無や外径を検出するセンサや各区画の棒金硬貨の有無や材質を検出する電磁コイルを備え、取り出された貨幣の数は、各区画の棒金硬貨の有無や金種の変化から計数される（特開２００６−２８５４７２号公報、特開２００８−２９３４２２号公報を参照）。また、警備会社９０に設けられた管理装置９２には、店舗４０のバックヤード領域４２に設けられた店舗サーバー４５、売上金入出金機４６および棒金収納庫５０がそれぞれ通信接続されている。ここで、棒金収納庫５０に収納された棒金硬貨は、警備会社９０側に管理権限があるようになっており、店舗４０側の店員等は棒金収納庫５０に収納された棒金硬貨を当該棒金収納庫５０から取り出すことができないようになっている。なお、棒金収納庫５０には、警備会社９０の警備員が定期的に巡回を行うことにより棒金硬貨を補充するようになっている。
【００４０】
第３の実施例においては、あるレジ釣銭機４３に収納されている貨幣が不足すると、この情報がＰＯＳターミナル４４を介して店舗サーバー４５に送信され、この店舗サーバー４５から貨幣の不足に係る情報が更に管理装置９２に送信され、管理装置９２において特定のレジ釣銭機４３における貨幣不足が認識される。この場合、管理装置９２は棒金収納庫５０に対して棒金硬貨の取り出し許可の指令を与え、特定の権限を有する店舗４０側の店員が、自己が所有するＩＤカードのＩＤ情報を棒金収納庫５０のカードリーダ（後述）に読み取らせることにより、この棒金収納庫５０から棒金硬貨を取り出すことができるようになる。そして、店舗４０側の店員は、棒金収納庫５０から取り出された棒金硬貨をレジ釣銭機４３に補充する。
【００４１】
このようにして、警備会社９０（第１の所有者）側から店舗４０（第２の所有者）側へ貨幣が引き渡され、この貨幣の管理権限が警備会社９０側から店舗４０側へ移されるようになる。また、警備会社９０側から店舗４０側へ引き渡された貨幣量は管理装置９２により管理されるようになっている。
【００４２】
図５に示すような第３の実施例では、現金輸送車により貨幣を警備会社９０からＡＴＭブース１０に配送する必要がなく、店舗４０側の店員が棒金収納庫５０から棒金硬貨を取り出すことによりレジ釣銭機４３への棒金硬貨の補充を行うことができるようになる。
【００４３】
＜第３の実施の形態＞
図６を用いて、本発明の第３の実施の形態について説明する。ここで、図６は、店舗内に設置されたＡＴＭへの貨幣の補充方法に関する第４の実施例を示す図である。
【００４４】
図６に示すように、第４の実施例では、図４に示すような従来例と比較して、店舗４０のフロント領域４１に１または複数のＡＴＭ４８が追加的に設けられており（図６では１つのみのＡＴＭ４８について表示）、また、店舗４０のバックヤード領域４２に貨幣収納庫３０が設けられている。ここで、第４の実施例において店舗４０のバックヤード領域４２に設けられる貨幣収納庫３０は、図３に示すような第２の実施例においてＡＴＭブース１０に設置される貨幣収納庫３０と同様の構成のものが用いられる。また、警備会社９０に設けられた管理装置９２には、店舗４０のバックヤード領域４２に設けられた店舗サーバー４５、売上金入出金機４６および貨幣収納庫３０がそれぞれ通信接続されるとともに、店舗４０のフロント領域４１に設けられたＡＴＭ４８が通信接続されている。ここで、ＡＴＭ４８に収納された貨幣は、警備会社９０側には管理権限がなく、ＡＴＭの運営者に管理権限があるようになっている。また、貨幣収納庫３０に収納された貨幣は警備会社９０側に管理権限があるようになっており、ＡＴＭの運営者や店舗４０側の店員等は貨幣収納庫３０に収納された貨幣を当該貨幣収納庫３０から取り出すことができないようになっている。なお、貨幣収納庫３０には、警備会社９０の警備員が定期的に巡回を行うことにより貨幣を補充するようになっている。
【００４５】
第４の実施例においては、あるＡＴＭ４８に収納されている貨幣が不足すると、この情報が当該ＡＴＭ４８から管理装置９２に送信され、管理装置９２において特定のＡＴＭ４８における貨幣不足が認識される。この場合、管理装置９２は貨幣収納庫３０に対して貨幣の取り出し許可の指令を与え、特定の権限を有する店舗４０側の店員が、自己が所有するＩＤカードのＩＤ情報を貨幣収納庫３０のカードリーダに読み取らせることにより、この貨幣収納庫３０において開閉電磁ロックによる各収納ドロアのロック状態を解除し、各収納ドロアを機体から手前側に引き出すことができるようにすることによって、貨幣収納庫３０からの貨幣の取り出しが可能となる。そして、店舗４０側の店員は、貨幣収納庫３０から取り出された貨幣をＡＴＭ４８に補充する。あるいは、管理装置９２において特定のＡＴＭ４８における貨幣不足が認識されると、図６の括弧内に示すように警備会社９０から店舗４０に警備員が派遣されるようになっていてもよい。この場合には、警備員が店舗４０に到着すると、この警備員は自己が所有するＩＤカードのＩＤ情報を貨幣収納庫３０のカードリーダに読み取らせることにより、貨幣収納庫３０からの貨幣の取り出しが可能となる。そして、警備員は、貨幣収納庫３０から取り出された貨幣をＡＴＭ１２に補充する。
【００４６】
このようにして、警備会社９０（第１の所有者）側からＡＴＭの運営者（第２の所有者）側へ貨幣が引き渡され、この貨幣の管理権限が警備会社９０側からＡＴＭの運営者側へ移されるようになる。また、警備会社９０側からＡＴＭの運営者側へ引き渡された貨幣量は管理装置９２により管理されるようになっている。
【００４７】
＜貨幣収納装置の構成について＞
次に、第１の実施例において用いられる貨幣入出金機２０、第２および第４の実施例において用いられる貨幣収納庫３０、ならびに第３の実施例において用いられる棒金収納庫５０の構成について以下に説明する。本発明では、これらの貨幣入出金機２０、貨幣収納庫３０および棒金収納庫５０をまとめて以下の記載では貨幣収納装置６０というようになっている。また、これらの貨幣入出金機２０、貨幣収納庫３０および棒金収納庫５０に収納される貨幣は、警備会社９０の管理権限下にあるようになっている。
【００４８】
図７に示すように、貨幣収納装置６０は、貨幣を収納する収納部６１と、収納部６１から取り出された貨幣の量である取出貨幣量を計数する取出貨幣計数部６２と、記憶部６３と、操作者に関する情報を入力するための操作部６４と、外部装置との通信を行うための通信部６５とを備えている。また、貨幣収納装置６０には制御部６６が設けられており、収納部６１、取出貨幣計数部６２、記憶部６３、操作部６４および通信部６５はそれぞれ制御部６６に接続されている。
【００４９】
収納部６１には開閉電磁ロック等のロック手段が設けられており、操作権限を有する操作者のみがロック手段を解除して収納部６１から貨幣を取り出すことができるようになっている。
【００５０】
記憶部６３には、収納部６１からの貨幣の取り出しが許可された操作者に関する情報である許可情報や、第２の所有者（ＡＴＭの運営者や店舗４０）を同定可能な同定情報が記憶されるようになっている。同定情報としては、貨幣の引き渡し先のＩＤ情報や、貨幣収納装置６０のＩＤ情報等が挙げられる。また、同定情報として、予め記憶されていた操作権限のある人のＩＤ情報のうち貨幣を取り出した人のＩＤ情報が用いられてもよい。
【００５１】
操作部６４は例えばカードリーダからなり、操作者が所有するＩＤカードのＩＤ情報がこのカードリーダにより読み取られるようになっている。また、通信部６５は例えばインターフェースからなり、貨幣収納装置６０はこの通信部６５を介して管理装置９２等の外部装置と通信を行うことができるようになっている。
【００５２】
貨幣収納装置６０の制御部６６は、取出貨幣計数部６２により計数された取出貨幣量と、記憶部６３に記憶された同定情報とを、通信部６５を介して管理装置９２に送信するようになっている。なお、制御部６６は、取出貨幣計数部６２により計数された取出貨幣量と、記憶部６３に記憶された許可情報とを、通信部６５を介して管理装置９２に送信するようになっていてもよい。
【００５３】
また、貨幣収納装置６０は、管理装置９２の外部の装置から許可情報を受信し、この受信した許可情報が記憶部６３に記憶されるようになっていてもよい。ここで、許可情報には、取り出しが可能な貨幣量の情報や、取り出しが可能な期間の情報が含まれる。
【００５４】
＜管理装置の構成について＞
次に、図８を用いて管理装置９２の構成の詳細について説明する。図８に示すように、管理装置９２は、制御部９５と、制御部９５に接続された記憶部９３と、制御部９５に接続され、外部装置との通信を行うための通信部９４とを備えている。
【００５５】
通信部９４は例えばインターフェースからなり、管理装置９２はこの通信部９４を介して貨幣収納装置６０等の外部装置と通信を行うことができるようになっている。また、記憶部９３には、警備会社９０等の第１の所有者から、ＡＴＭの運営者や店舗４０等の第２の所有者に引き渡した貨幣の量である引渡貨幣量と、第２の所有者のＩＤ情報とが関連付けて記憶されるようになっている。なお、この記憶部９３には、操作者に関する情報と、ＡＴＭの運営者や店舗４０等の第２の所有者とが関連付けて記憶されるようになっていてもよい。
【００５６】
そして、管理装置９２の制御部９５は、貨幣収納装置６０から送信された同定情報から第２の所有者のＩＤ情報を決定し、また、貨幣収納装置６０から送信された取出貨幣量を引渡貨幣量とし、この引渡貨幣量と第２の所有者のＩＤ情報とを関連付けて記憶部９３に記憶させるようになっている。
【００５７】
なお、記憶部９３に、操作者に関する情報と、ＡＴＭの運営者や店舗４０等の第２の所有者とが関連付けて記憶されるようになっている場合には、管理装置９２の制御部９５は、貨幣収納装置６０から送信された許可情報から第２の所有者のＩＤ情報を決定し、また、貨幣収納装置６０から送信された取出貨幣量を引渡貨幣量とし、この引渡貨幣量と第２の所有者のＩＤ情報とを関連付けて記憶部９３に記憶させるようになっていてもよい。
【００５８】
＜貨幣処理装置の構成について＞
次に、第１、第２および第４の実施例において用いられるＡＴＭ１２および第３の実施例において用いられるレジ釣銭機４３の構成について以下に説明する。本発明では、これらのＡＴＭ１２およびレジ釣銭機４３をまとめて以下の記載では貨幣処理装置７０というようになっている。また、ＡＴＭ１２に収納される貨幣はＡＴＭの運営者の管理権限下にあり、レジ釣銭機４３に収納される貨幣は店舗４０の管理権限下にあるが、本発明ではこれらのＡＴＭの運営者や店舗４０は第２の所有者として扱われるようになっている。
【００５９】
図９に示すように、貨幣処理装置７０は、外部から貨幣を受け入れる受入部７１と、受入部７１が受け入れた貨幣を識別する識別部７２と、貨幣を収納する少なくとも１つの収納部７３と、外部の装置と通信を行う通信部７４とを備えている。また、貨幣処理装置７０には制御部７５が設けられており、受入部７１、識別部７２、収納部７３および通信部７４はそれぞれ制御部７５に接続されている。
【００６０】
ここで、貨幣収納装置６０から減少した貨幣量と、貨幣処理装置７０で増加した貨幣量とが一致した場合においてのみ、ＡＴＭの運営者や店舗４０等の第２の所有者へ引き渡した貨幣量が確定されるようになっている。このような確定処理は、管理装置９２の制御部９５や貨幣処理装置７０の制御部７５、または貨幣収納装置６０の制御部６６で行われるようになっている。
【００６１】
次に、上述のような、第１〜第４の実施例における具体的な貨幣の引渡方法について説明する。
【００６２】
第１、第２および第４の実施例では、第１の所有者である警備会社９０から、第２の所有者であるＡＴＭの運営者に貨幣が引き渡されるようになっている。また、第３の実施例では、第１の所有者である警備会社９０から、第２の所有者である店舗４０に貨幣が引き渡されるようになっている。
【００６３】
貨幣の移動先の特定は、貨幣収納装置６０としての貨幣入出金機２０や貨幣収納庫３０、または棒金収納庫５０の記憶部に記憶された資金移動先のＩＤ情報により行われる。なお、貨幣の移動先の特定が、貨幣入出金機２０や貨幣収納庫３０、または棒金収納庫５０の記憶部に記憶された装置のＩＤ情報から決定されるようになっていてもよい。この場合、貨幣入出金機２０や貨幣収納庫３０、または棒金収納庫５０毎に貨幣の移動先が決まっている。また、貨幣の移動先の特定が、貨幣入出金機２０や貨幣収納庫３０、または棒金収納庫５０の記憶部に記憶された操作者に関する情報から決定されるようになっていてもよい。この場合、操作者毎に貨幣の移動先が決まっている。
【００６４】
貨幣の移動の確定のタイミングとしては、警備会社９０の管理下にある貨幣収納装置６０としての貨幣入出金機２０や貨幣収納庫３０、または棒金収納庫５０からの貨幣の出金時であってもよい。あるいは、貨幣の移動の確定のタイミングが、貨幣の補充先の貨幣処理装置７０であるＡＴＭ１２やレジ釣銭機４３における補充貨幣の計数時であってもよい。ただし、ＡＴＭ１２において、直接収納部に貨幣を装填する場合には貨幣の計数を行うことができない。
【００６５】
また、貨幣収納装置６０が手動取り出し式（引き出しタイプ）の場合には、具体的には貨幣収納庫３０や棒金収納庫５０が用いられる場合には、このような貨幣収納庫３０や棒金収納庫５０は戻し入れ検知機能や返却機能を有している。ここで、戻し入れ検知機能とは、一旦取り出した貨幣の戻し入れを検知する機能のことをいう。この場合、検知された情報はログデータとして記憶部に記憶される。また、場合によっては不正扱いとする。また、返却機能とは、一旦取り出した貨幣を戻す場合、併設した売上金入出金機４６に貨幣を入金して引き渡す機能のことをいう。
【００６６】
ここで、前述のように、第１、第２および第４の実施例では、操作者は警備会社９０の警備員となる。一方、第３の実施例では、操作者は店舗４０の店員となる。あるいは、第１〜第４の実施例において、操作者として、警備会社９０の管理装置９２や店舗サーバー４５である上位装置により指定された者が処理を行うようになっていてもよい。
【００６７】
また、操作者の指定方法や確認方法としては、操作者の個人ＩＤ情報や、操作者の属性（例えば、所属部門、役職等）が用いられる。また、第３および第４の実施例では、操作者の指定方法や確認方法として、操作者の権限（役職カード）や、操作者が操作するレジＩＤ情報等の貨幣の補充先の装置のＩＤ情報が用いられてもよい。この場合、レジにカードが備えられており、補充された貨幣を取り出すときにカードを使うようになる。
【００６８】
また、操作者が出金可能な金額としては、操作者を信頼できる場合には制限なしとなる。あるいは、操作者が出金可能な金額が、個人、属性（エリア担当者、出納担当／レジ担当等）、権限（一般／マネージャー等）により決められるようになっていてもよい。また、貨幣が補充される対象の装置を入力し、貨幣の補充必要量に基づいて操作者が出金可能な金額が決められるようになっていてもよい。この場合、金種毎に決められた所定の枚数以内で貨幣を出金することができるようになっていてもよい。また、出金作業毎に、指定された操作者が指定された金額、もしくは指定された金種毎の枚数以内で貨幣を出金することができるようになっていてもよい。この場合、現金不足を検知したときに、上位装置から手動または自動で、操作者と金額等を指定して、貨幣収納装置６０としての貨幣入出金機２０や貨幣収納庫３０、または棒金収納庫５０に送信する。また、この際に、さらに出金可能時期に制限を設けてもよい。具体的には、出金可能時期が所定時間以内や所定日となるよう制限が設けられる。
【００６９】
また、第１および第２の実施例では、警備会社９０の管理装置９２により、手動または自動で、個人のＩＤ情報、属性、権限により操作者が指定され、ＡＴＭ１２の在高に基づき、貨幣入出金機２０や貨幣収納庫３０からの貨幣の出金量を、補充が必要な貨幣量に制限するようになっていてもよい。また、第３の実施例では、店舗サーバー４５が各レジ釣銭機４３の在高を監視し、在高不足のレジ釣銭機４３の担当者のＩＤ情報、属性、権限により操作者が指定され、レジ釣銭機４３の在高により、補充が必要な貨幣量に制限するようになっていてもよい。また、第４の実施例では、店舗サーバー４５により、手動または自動で、個人のＩＤ情報、属性、権限により操作者が指定され、ＡＴＭ１２の在高に基づき、貨幣入出金機２０や貨幣収納庫３０からの貨幣の出金量を、補充が必要な貨幣量に制限するようになっていてもよい。
【００７０】
以上のように本発明の貨幣収納装置を用いた貨幣引渡システムおよび貨幣引渡方法によれば、貨幣引渡システムは、第１の所有者（警備会社９０）が所有する貨幣を収納する貨幣収納装置６０（具体的には、貨幣入出金機２０や貨幣収納庫３０、または棒金収納庫５０）と、引き渡した貨幣量を管理する管理装置９２とを備えている。そして、貨幣収納装置６０は、貨幣を収納する収納部６１と、収納部６１から取り出された貨幣の量である取出貨幣量を計数する取出貨幣計数部６２と、収納部６１からの貨幣の取り出しが許可された操作者に関する情報である許可情報と、第２の所有者を同定可能な同定情報とを記憶する記憶部６３と、操作者に関する情報を入力するための操作部６４と、管理装置９２等の外部の装置と通信を行う通信部６５と、通信部６５を介して取出貨幣量と同定情報とを管理装置９２に送信する制御部６６と、を有している。また、管理装置９２は、第１の所有者から第２の所有者に引き渡した貨幣の量である引渡貨幣量と第２の所有者のＩＤ情報とを関連付けて記憶する記憶部９３と、貨幣収納装置６０等の外部の装置と通信を行う通信部９４と、貨幣収納装置６０から送信された同定情報から第２の所有者のＩＤ情報を決定するとともに貨幣収納装置６０から送信された取出貨幣量を引渡貨幣量とし、この引渡貨幣量と第２の所有者のＩＤ情報とを関連付けて記憶部９３に記憶させる制御部９５と、を有している。このような貨幣引渡システムおよび貨幣引渡方法によれば、上述のような貨幣収納装置６０が設けられていることにより、予定外の貨幣の配送を行うことのないよう、貨幣を予めＡＴＭブース１０や店舗４０等に置いておくようにすることができる。
【００７１】
また、本発明の他の貨幣収納装置を用いた貨幣引渡システムおよび貨幣引渡方法においては、貨幣収納装置６０は、貨幣を収納する収納部６１と、収納部６１から取り出された貨幣の量である取出貨幣量を計数する取出貨幣計数部６２と、収納部６１からの貨幣の取り出しが許可された操作者に関する情報である許可情報を記憶する記憶部６３と、操作者に関する情報を入力するための操作部６４と、管理装置９２等の外部の装置と通信を行う通信部６５と、通信部６５を介して取出貨幣量と許可情報とを管理装置９２に送信する制御部６６と、を有しており、管理装置９２は、操作者に関する情報と第２の所有者のＩＤ情報とを関連付けて記憶し、また、第１の所有者から第２の所有者に引き渡した貨幣の量である引渡貨幣量と第２の所有者のＩＤ情報とを関連付けて記憶する記憶部９３と、貨幣収納装置６０等の外部の装置と通信を行う通信部９４と、貨幣収納装置６０から送信された許可情報から第２の所有者のＩＤ情報を決定するとともに貨幣収納装置６０から送信された取出貨幣量を引渡貨幣量とし、この引渡貨幣量と第２の所有者のＩＤ情報とを関連付けて記憶部９３に記憶させる制御部９５と、を有している。このような貨幣引渡システムおよび貨幣引渡方法が用いられる場合でも、上述のような貨幣収納装置６０が設けられていることにより、予定外の貨幣の配送を行うことのないよう、貨幣を予めＡＴＭブース１０や店舗４０等に置いておくようにすることができる。
【符号の説明】
【００７２】
１０  ＡＴＭブース
１２  ＡＴＭ
２０  貨幣入出金機
３０  貨幣収納庫
４０  店舗
４１  フロント領域
４２  バックヤード領域
４３  レジ釣銭機
４４  ＰＯＳターミナル
４５  店舗サーバー
４６  売上金入出金機
５０  棒金収納庫
６０  貨幣収納装置
６１  収納部
６２  取出貨幣計数部
６３  記憶部
６４  操作部
６５  通信部
６６  制御部
７０  貨幣処理装置
７１  受入部
７２  識別部
７３  収納部
７４  通信部
７５  制御部
９０  警備会社
９２  管理装置
９３  記憶部
９４  通信部
９５  制御部
【図１】
2012068983.tif 000003
【図２】
2012068983.tif 000004
【図３】
2012068983.tif 000005
【図４】
2012068983.tif 000006
【図５】
2012068983.tif 000007
【図６】
2012068983.tif 000008
【図７】
2012068983.tif 000009
【図８】
2012068983.tif 000010
【図９】
2012068983.tif 000011